(57)【特許請求の範囲】
【請求項１】
端末でＥＰＤＣＣＨ(enhanced physical downlink control channel)を検出するための方法であって、
予め定義された第１のパラメータを用いて、共通サーチスペースで少なくとも一つの第１の候補ＥＰＤＣＣＨに対する第１のＥＣＣＥ（Enhanced Control Channel Element）の位置を決定するステップと、
前記決定された前記第１のＥＣＣＥの位置に基づいて前記共通サーチスペースで前記第１の候補ＥＰＤＣＣＨを検出するステップと、
予め定義された第２のパラメータを用いて固有サーチスペースで少なくとも一つの第２の候補ＥＰＤＣＣＨに対する第２のＥＣＣＥの位置を決定するステップと、
前記決定された前記第２のＥＣＣＥの位置に基づいて前記固有サーチスペースで前記第２の候補ＥＰＤＣＣＨを検出するステップと、を含み、
前記共通サーチスペース及び前記固有サーチスペースは複数のＥＣＣＥを含み、
前記共通サーチスペース及び前記固有サーチスペースに含まれる前記複数のＥＣＣＥは、前記ＥＰＤＣＣＨの送信のためのサブフレームの時間リソース及び周波数リソースにより定義されることを特徴とする方法。
【請求項２】
前記第１のパラメータは、
前記共通サーチスペースを扱うために使用される第１の候補ＥＰＤＣＣＨ集合の個数、前記第１の候補ＥＰＤＣＣＨ集合の各々のタイプ、前記第１の候補ＥＰＤＣＣＨ集合各々に対する物理的リソースブロック（ＰＲＢ）ペアの個数を含むことを特徴とする請求項１に記載の方法。
【請求項３】
前記第１の候補ＥＰＤＣＣＨ集合各々に対する前記ＰＲＢペアの組み合わせの位置は、前記第１の候補ＥＰＤＣＣＨ集合の前記個数による物理的セル識別子（ＰＣＩ）モジュロ（modulo）を通じて決定されることを特徴とする請求項２に記載の方法。
【請求項４】
前記第１の候補ＥＰＤＣＣＨ集合に対する前記ＰＲＢペアの組み合わせの位置は、メイン情報ブロック（ＭＩＢ）に含まれる指示情報ビットにより決定されることを特徴とする請求項２に記載の方法。
【請求項５】
前記第１のＥＣＣＥの前記位置は、
【数１】
0006313321.tif 000032
であり
ここで
Ｌは、サーチスペースに対するＥＣＣＥの個数であるアグリゲーションレベルであり、
ｋは、サブフレームのインデックスであり、
ｍは、前記候補ＥＰＤＣＣＨのインデックスであり、ｍは前記ＥＰＤＣＣＨ集合内のインデックスであり、
【数２】
0006313321.tif 000033
は、前記アグリゲーションレベルがＬであると共に、一つのＥＰＤＣＣＨ集合内で前記共通サーチスペースに対して使用される候補ＥＰＤＣＣＨの個数であり、
ｎはサブフレームｋ内の前記ＥＰＤＣＣＨ集合のインデックスであり、
ＮCCE_n,kは、サブフレームｋ内のＥＰＤＣＣＨ集合内の前記ＥＣＣＥの総数であり、
Ｙkは０に該当することを特徴とする請求項３に記載の方法。
【請求項６】
前記第１の候補ＥＰＤＣＣＨを検出するステップは、
前記共通サーチスペースにより占有される前記第１の候補ＥＰＤＣＣＨに対応するそれぞれのアグリゲーションレベルに対するブラインド検出を実行するステップを含むことを特徴とする請求項１に記載の方法。
【請求項７】
４個のＥＣＣＥからなるＥＰＤＣＣＨのアグリゲーションレベルが設定され、８個のＥＣＣＥからなるＥＰＤＣＣＨのアグリゲーションレベルが前記共通サーチスペースにより占有される前記第１の候補ＥＰＤＣＣＨに対して設定され、前記共通サーチスペースに対するブラインド検出の最大回数は１２であることを特徴とする請求項６に記載の方法。
【請求項８】
前記共通サーチスペースにより占有される前記第１の候補ＥＰＤＣＣＨに対する２個の最大アグリゲーションレベルが設定され、前記共通サーチスペースでＮ個の最大アグリゲーションレベルに対するブラインド検出が定義され、前記Ｎは２以上であり、前記共通サーチスペースに対するブラインド検出の最大回数は１２であることを特徴とする請求項６に記載の方法。
【請求項９】
前記共通サーチスペースにより占有される前記第１の候補ＥＰＤＣＣＨに対して、前記ブラインド検出のアグリゲーションレベルが設定され、前記ブラインド検出の回数は上位階層信号を通して半静的設定方式でそれぞれのアグリゲーションレベルに対して設定されるか又は予め定義され、前記共通サーチスペースのブラインド検出の最大回数は１２以上であることを特徴とする請求項６に記載の方法。
【請求項１０】
前記第２のパラメータは、第２の候補ＥＰＤＣＣＨ集合の個数、前記第２の候補ＥＰＤＣＣＨ集合各々のタイプ、前記第２の候補ＥＰＤＣＣＨ集合各々に対するＰＲＢペアの個数、ＰＲＢペアの位置、及び前記第２の候補ＥＰＤＣＣＨ集合内の前記第２の候補ＥＰＤＣＣＨを構成するために占有される前記第２のＥＣＣＥの位置を含むことを特徴とする請求項１に記載の方法。
【請求項１１】
前記候補ＥＰＤＣＣＨ集合の個数、前記候補ＥＰＤＣＣＨ集合の各々のタイプ、前記候補ＥＰＤＣＣＨ集合の各々により占有される前記ＰＲＢペアの個数、及び前記ＰＲＢペアの位置は上位階層信号を通して設定され、前記上位階層信号は、前記共通サーチスペースで前記ＥＰＤＣＣＨをスケジューリングするための信号やランダムアクセス応答（ＲＡＲ）の信号を含み、
前記候補ＥＰＤＣＣＨ集合内の前記候補ＥＰＤＣＣＨにより占有される前記ＥＣＣＥの位置は予め定義されることを特徴とする請求項１０に記載の方法。
【請求項１２】
前記第２のＥＣＣＥである
【数３】
0006313321.tif 000034
は、
【数４】
0006313321.tif 000035
であり、
ここで、Ｌは、前記共通サーチスペースにより占有されるＥＣＣＥの個数であるアグリゲーションレベルであり、
ｋはサブフレームのインデックスであり、
ｍは前記候補ＥＰＤＣＣＨのインデックスであり、ｍは前記ＥＰＤＣＣＨ集合内のインデックスであり、
【数５】
0006313321.tif 000036
は、前記アグリゲーションレベルがＬであると共に、一つのＥＰＤＣＣＨ集合内で前記共通サーチスペースに対して使用される候補ＥＰＤＣＣＨの個数であり、
ｎはサブフレームｋ内の前記ＥＰＤＣＣＨ集合のインデックスであり、
ＮCCE_n,kはサブフレームｋ内のＥＰＤＣＣＨ集合内のＥＣＣＥの総数であり、
【数６】
0006313321.tif 000037
を特徴とする請求項１１に記載の方法。
【請求項１３】
前記固有サーチスペースを扱うために使用される前記第２の候補ＥＰＤＣＣＨ集合を二つの部分に分けるステップをさらに含み、
前記固有サーチスペースの前記第２の候補ＥＰＤＣＣＨ集合の第１の部分は、前記共通サーチスペースの第１のＥＰＤＣＣＨ集合と同一であり、前記固有サーチスペースの前記第２の候補ＥＰＤＣＣＨ集合の第２の部分は前記端末の要件によって設定され、
前記端末の要件による設定は、前記共通サーチスペースの第１のＥＤＣＣＨの使用を通した設定や前記固有サーチスペースの前記第１の部分のＥＤＣＣＨの使用を通した設定を含むことを特徴とする請求項１０に記載の方法。
【請求項１４】
インデックスによってＥＰＤＣＣＨ集合内のＥＣＣＥをランキング序列化することによって前記固有サーチスペースの前記第１の部分の前記ＥＰＤＣＣＨの位置を決定するステップ、及び前記固有サーチスペースの前記第１の部分の前記ＥＰＤＣＣＨにより占有される前記ＥＣＣＥの位置を予め定義するステップをさらに含み、前記位置は下記の式によって予め定義され、
【数７】
0006313321.tif 000038
前記Ｌは、前記固有サーチスペースにより占有されるＥＣＣＥの個数であるアグリゲーションレベルであり、
ｋは、サブフレームのインデックスであり、
ｍは、前記候補ＥＰＤＣＣＨのインデックスであり、
ｎは、サブフレームｋ内の前記ＥＰＤＣＣＨ集合のインデックスであり、
ＮCCE_n,kは、サブフレームｋ内のＥＰＤＣＣＨ集合内の前記ＥＣＣＥの総数であり、
【数８】
0006313321.tif 000039
ことを特徴とする請求項１３に記載の方法。
【請求項１５】
伝送モードアップリンクＭＩＭＯ（Multiple Input Multiple Output）が設定されない場合、前記第１の部分に対するブラインド検出の最大回数が設定され、前記第２の部分に対する前記ブラインド検出の最大回数が設定され、前記第１の部分に対する前記ブラインド検出の前記最大回数及び前記第２の部分に対する前記ブラインド検出の前記最大回数の総数は３２であるか、または、前記第２の部分に対する前記ブラインド検出の前記最大回数が３２に設定され、前記第１の部分に対する前記ブラインド検出の回数が加算され、伝送モードアップリンクＭＩＭＯが設定される場合、前記第１の部分に対する前記ブラインド検出の最大回数が設定され、前記第２の部分に対する前記ブラインド検出の最大回数が設定され、前記第１の部分に対する前記ブラインド検出の前記最大回数及び前記第２の部分に対する前記ブラインド検出の前記最大回数の総数は４８であるか、または、前記第２の部分に対する前記ブラインド検出の前記最大回数が４８に設定され、前記第１の部分に対する前記ブラインド検出の回数が加算されることを特徴とする請求項１３に記載の方法。
【請求項１６】
ＥＰＤＣＣＨ(enhanced physical downlink control channel)を検出する端末であって、
送受信機と、
プロセッサと、を含み、
前記プロセッサは、
予め定義された第１のパラメータを用いて共通サーチスペースで少なくとも一つの第１の候補ＥＰＤＣＣＨに対する第１のＥＣＣＥ(enhanced control channel element）の位置を決定し、前記決定された前記第１のＥＣＣＥの位置に基づいて前記共通サーチスペースで前記第１の候補ＥＰＤＣＣＨを検出し、予め定義された第２のパラメータを用いて固有サーチスペースで少なくとも一つの第２の候補ＥＰＤＣＣＨに対する第２のＥＣＣＥの位置を決定し、前記決定された前記第２のＥＣＣＥの位置に基づいて前記固有サーチスペースで前記第２の候補ＥＰＤＣＣＨを検出し、
前記共通サーチスペース及び前記固有サーチスペースは複数のＥＣＣＥを含み、
前記共通サーチスペース及び前記固有サーチスペースに含まれる前記複数のＥＣＣＥは、前記ＥＰＤＣＣＨの送信のためのサブフレームの時間リソース及び周波数リソースにより定義されることを特徴とする装置。
【請求項１７】
請求項２乃至請求項４及び請求項５乃至請求項１５のうち何れか一項に従って動作するように適応されたことを特徴とする請求項１６に記載の装置。
【発明の詳細な説明】
【技術分野】
【０００１】
本発明は、一般的に無線通信システムに関し、特に共通サーチスペース及びユーザ機器（ＵＥ）固有サーチスペースをブラインド検出するための方法及び装置に関する。
【背景技術】
【０００２】
３ＧＰＰ（3rd Generation Partnership Project）ＬＴＥ（Long Term Evolution）システムで、それぞれの無線フレームの長さは１０ｍｓであり、それは同一の１０個のサブフレームに分かれる。一つのダウンリンク伝送時間間隔（ＴＴＩ）が一つのサブフレームに対して定義される。図１は、周波数分割デュプレックス（ＦＤＤ）システムのフレーム構造を示す図である。それぞれのダウンリンクサブフレームは２個のタイムスロットを含む。一般のＣＰ（Cyclic Prefix）長において、それぞれのタイムスロットは、７個の直交周波数分割多重化（ＯＦＤＭ）シンボルを含む。拡張されたＣＰ長において、それぞれのタイムスロットは、６個のＯＦＤＭシンボルを含む。
【０００３】
図２は、ＬＴＥシステムのフレーム構造を例示した図である。最初のｎ個ＯＦＤＭシンボル（ｎは１、２、または３に該当）は、物理的ダウンリンク制御チャネル（ＰＤＣＣＨ）及びその他の制御情報を含むダウンリンク制御情報を伝送するために使用される。残りのＯＦＤＭシンボルは、物理的ダウンリンク共有チャネル（ＰＤＳＣＨ）を伝送するために使用される。リソース割当の細分単位（granularity）が物理的リソースブロック（ＰＲＢ）である。一つのＰＲＢは、周波数上で１２個の連続サブキャリアを含み、時間上で一つのタイムスロットに対応する。一つのサブフレーム内の同一サブキャリアの二つのタイムスロットにおける二つのＰＲＢをＰＲＢペアと称する。それぞれのＰＲＢペアにおけるそれぞれのリソース要素（ＲＥ）は、時間及び周波数リソースの最小単位である。すなわちＲＥは周波数上で一つのサブキャリアを含み、時間上で一つのＯＦＤＭシンボルを含む。ＲＥのそれぞれは、相異なる機能のために使用されることができる。例えば、ＲＥの一部は、それぞれ、セル固有参照信号（ＣＲＳ）、ユーザ固有復調参照信号（ＤＭＲＳ）、チャネル状態情報参照信号（ＣＳＩ−ＲＳ）、ＰＤＣＣＨ、ＰＤＳＣＨなどを伝送するために使用されることができる。
【０００４】
ＬＴＥシステムにおけるＰＤＣＣＨ伝送のために、共通サーチスペース及びＵＥ固有サーチスペースが定義される。ＰＤＣＣＨは、候補ＰＤＣＣＨの共通サーチスペース及びＵＥ固有サーチスペースの全ての集合のブラインドデコーディング、及び基地局によりスケジューリングされたＰＤＣＣＨを探すために該当無線ネットワーク一時識別子（ＲＮＴＩ）（たとえば、セル-ＲＮＴＩ（Ｃ−ＲＮＴＩ））によりスクランブルされた周期的反復チェック（ＣＲＣ）を通したチェッキングを通して追跡される。共通サーチスペース及びＵＥ固有サーチスペースの候補ＰＤＣＣＨの個数が＜表１＞に示される。共通サーチスペースは、４個の制御チャネル要素（ＣＣＥ）を有するサーチスペース及び８個のＣＣＥを有するサーチスペースを含む。ＵＥ固有サーチスペースは、一つのＣＣＥ、２個のＣＣＥ、４個のＣＣＥ、及び８個のＣＣＥを有するそれぞれのサーチスペースを含む。それぞれの伝送モード毎に、ＵＥは、相異なるサイズのダウンリンク制御情報（ＤＣＩ）を有する２種類のＰＤＣＣＨを追跡しなければならない。したがって、共通サーチスペースで、ＵＥは、２＊（４＋２）＝１２個の候補ＰＤＣＣＨを追跡する。ＵＥ固有サーチスペースでＵＥは、２＊（６＋６＋２＋２）＝３２個の候補ＰＤＣＣＨを追跡する。
【０００５】
【表１】
0006313321.tif 000002
【０００６】
ＰＤＣＣＨサーチスペース
【０００７】
【数１】
0006313321.tif 000003
により占有されたＣＣＥは
【０００８】
【数２】
0006313321.tif 000004
【０００９】
であり、
ここで、Ｌは、アグリゲーションレベル（aggregation level）、すなわちサーチスペースにより占有されたＣＣＥの個数である；
ｋはサブフレームのインデックスである；
【００１０】
【数３】
0006313321.tif 000005
【００１１】
は、サブフレームｋ内のＣＣＥの総数である。
【００１２】
共通スペースにおいて、Ｙkは、０に該当する。特に、全てのＵＥ共通サーチスペースにより占有されたＣＣＥの位置は同一である。ＵＥ固有サーチスペースにおいて、Ｙkは、
【００１３】
【数４】
0006313321.tif 000006
【００１４】
に該当し、
【００１５】
【数５】
0006313321.tif 000007
【００１６】
ｎRNTIは、ユーザ無線ネットワーク一時識別子の値である。
【００１７】
ＵＥ固有サーチスペースは、ユーザＲＮＴＩの値及びサブフレームのインデックスと関連する。特に、ユーザＲＮＴＩの値が決定された後、ＵＥ固有サーチスペースにより占有されたＣＣＥの位置が決定される。
【００１８】
ＬＴＥ−Ａ（ＬＴＥ-Advanced）システムで、後方制御信号とＣＲＳのオーバーロードは減少する。同時に、後方制御信号及びＣＲＳによる干渉が減少する。したがってＵＥ周波数活用度が向上する。ＣＲＳのオーバーロードが減少されるので、システム電力節減性能がより向上する。システムのＰＤＣＣＨ伝送及びＰＤＳＣＨ伝送は、通常、新しいキャリアタイプ（ＮＣＴ）と呼ばれるＤＭＲＳ復調に基づく。
【００１９】
ＤＭＲＳ復調に基づくＰＤＣＣＨは、改善された物理的ダウンリンク制御チャネル（ＥＰＤＣＣＨ）と呼ばれる。ＥＰＤＣＣＨにより占有されるリソースは、無線リソース制御（ＲＲＣ）信号により設定される。ＬＴＥバージョン１１システムではＥＰＤＣＣＨのみがＵＥ固有サーチスペースに対して使用され、共通サーチスペースはＰＤＣＣＨを使用する。ＥＰＤＣＣＨは、ＥＰＤＣＣＨ集合内に位置する。ＥＰＤＣＣＨ集合は、集中型ＥＰＤＣＣＨ集合及び分散型ＥＰＤＣＣＨ集合に区分される。集中型ＥＰＤＣＣＨ集合及び分散型ＥＰＤＣＣＨ集合は、２、４または８個のＰＲＢを占有できる。それぞれのＵＥは、最大２個のＥＰＤＣＣＨ集合を設定する。それぞれのＥＰＤＣＣＨは、１、２、４、８または１６個の改善された制御チャネル要素（ＥＣＣＥ）からなり、ＥＣＣＥは４個または８個の改善されたリソース要素グループ（ＥＲＥＧ）からなり、それぞれのＰＲＢは１６個のＥＲＥＧを含む。
【００２０】
ＮＣＴは、自立型セルとして作用されるか否かに基づいて２種類に区分される。非自立状況で、該当セルは二次セル（Ｓcell）としてのみ作用する。二次セルにおける共通サーチスペースは、現在の３ＧＰＰ仕様に基づいて設定される必要がない。共通サーチスペースは一次セルの内で設定される。ＥＰＤＣＣＨで構成されたＵＥ固有サーチスペースにより占有されたリソースは、上位階層信号により設定されることができる。設定されるために必要なパラメータは、ＵＥ固有サーチスペースのＥＰＤＣＣＨにより使用されたＥＰＤＣＣＨ集合が集中型または分散型のどちらであるか及び、ＥＰＤＣＣＨ集合により占有されたＰＲＢペアの個数、及びＰＲＢペアの位置を含む。したがって、ＮＣＴは、通常Ｓセルとして作用され、ここでＮＣＴはＥＰＤＣＣＨをＵＥ固有サーチスペースとして採択する。自立型ＮＣＴで、全てのＬＴＥチャネルは、ＮＣＴの中における代替技術を規定する必要がある。したがってＮＣＴセルが正常に作用できる。
【発明の概要】
【発明が解決しようとする課題】
【００２１】
本発明は、少なくとも上述した問題及び短所を取り扱い、少なくとも以下に記述される利点を提供するために製作された。したがって、本発明の様態は、共通サーチスペース及びＵＥ固有サーチスペースをブラインド検出するための方法及び装置を提供することによって、ＯＦＤＭに基づく新しいキャリアタイプが自立型で作用でき、新しいキャリアタイプ適用の融通性が改善される。
【課題を解決するための手段】
【００２２】
本発明の様態によれば、共通サーチスペース及びＵＥ固有サーチスペースをブラインド検出するための方法が提供される。ＵＥは共通サーチスペースにより占有された候補ＥＰＤＣＣＨの位置を判定する。ＵＥは共通サーチスペースにより占有された候補ＥＰＤＣＣＨに対するブラインド検出を実行する。ＵＥは、ＵＥ固有サーチスペースにより占有された候補ＥＰＤＣＣＨの位置を判定する。ＵＥは、ＵＥ固有サーチスペースにより占有された候補ＥＰＤＣＣＨに対するブラインド検出を実行する。
【００２３】
本発明の他の様態によれば、共通サーチスペース及びＵＥ固有サーチスペースをブラインド検出するための装置が提供される。上記装置は、共通サーチスペースにより占有された候補ＥＰＤＣＣＨの位置を判定し、ＵＥ固有サーチスペースにより占有された候補ＥＰＤＣＣＨの位置を判定するように構成された情報獲得モジュールを含む。上記装置は共通サーチスペースにより占有された候補ＥＰＤＣＣＨに対するブラインド検出を実行し、ＵＥ固有サーチスペースにより占有された候補ＥＰＤＣＣＨに対するブラインド検出を実行するように構成されたブラインド検出モジュールをさらに含む。
【図面の簡単な説明】
【００２４】
本発明の上記及びその他の様態、特性及び利点は添付された図面と関連する以下の詳細な説明でより自明になる。
【図１】ＦＤＤシステムのフレーム構造を例示した図である。
【図２】ＬＴＥシステムのサブフレーム構造を例示した図である。
【図３】本発明の一実施形態によって、共通サーチスペース及びＵＥ固有サーチスペースをブラインド検出するための方法を例示した図である。
【図４】本発明の一実施形態によって、共通サーチスペースの予め定義されたＥＰＤＣＣＨ集合を例示した図である。
【図５】本発明の一実施形態によって、ＵＥ固有サーチスペースを扱うために使用されるＥＰＤＣＣＨ集合が分かれる二つの部分を示す図である。
【図６】本発明の様態によって、共通サーチスペース及びＵＥ固有サーチスペースをブラインド検出するための装置を例示した図である。
【発明を実施するための形態】
【００２５】
添付された図面を参照して本発明の実施形態を詳細に説明する。同一または類似の構成要素は、他の図面に例示されても同一又は類似の参照符号で示される。この分野で知られた構造や工程に対する詳細な説明は、本発明の主題を不明確にしないように省略されることができる。
【００２６】
ＮＣＴセルが自立型セルとして作用される場合、共通サーチスペース及びＵＥ固有サーチスペースをブラインド検出するための方法が図３に図示されるように、本発明の実施形態を通して提供される。
ステップ３０１で、ＵＥは共通サーチスペースにより占有された候補ＥＰＤＣＣＨの位置を判定する。
【００２７】
本発明の一実施形態で、共通サーチスペースに対して設定された時間及び周波数リソースパラメータは、共通サーチスペースを扱うために使用される候補ＥＰＤＣＣＨ集合の個数、候補ＥＰＤＣＣＨ集合のタイプ（集中型であるか分散型であるか）、候補ＥＰＤＣＣＨ集合により占有されるＰＲＢペアの個数、ＰＲＢペアの組み合わせの位置、及び候補ＥＰＤＣＣＨ集合内の候補ＥＰＤＣＣＨにより占有されたＥＣＣＥの位置を含む。
【００２８】
共通サーチスペースがスケジューリングするＥＰＤＣＣＨを採択する場合、本発明の実施形態はＵＥが共通サーチスペースで候補ＥＰＤＣＣＨの位置を判定する三個の方法を提供する。
【００２９】
共通サーチスペースで候補ＥＰＤＣＣＨの位置を判定する第１の方法において、候補ＥＰＤＣＣＨ集合の個数、それぞれの候補ＥＰＤＣＣＨ集合のタイプ、及びそれぞれの候補ＥＰＤＣＣＨ集合により占有されたＰＲＢペアの個数が予め定義される。例えば、ＵＥは共通サーチスペースで一つの候補ＥＰＤＣＣＨ集合だけを追跡し、候補ＥＰＤＣＣＨ集合のタイプは分散型であり、共通サーチスペースのＥＰＤＣＣＨ集合により占有されたＰＲＢペアは４個である。
【００３０】
上記で定義されたパラメータで、それぞれの候補ＥＰＤＣＣＨにより占有されたＰＲＢペアの組み合わせの位置は、例えば、物理的セル識別子（ＰＣＩ）のような黙示的方法を通して決定される。例えば、ＥＰＤＣＣＨ集合のＮ個の候補位置は固定される。それぞれの候補位置により占有されるＰＲＢペアの組み合わせの位置が固定される。Ｎが３に該当すると仮定すれば、セルのＥＰＤＣＣＨ集合のインデックスは、ＰＣＩモジュロ３が実行された後に得られる値である。例えば、３個のＥＰＤＣＣＨ集合が予め定義され、これらは共通サーチスペースを扱うために使用される。セル１のＰＣＩが２０８であると仮定すれば、２０８モジュロ３は１である。したがって、セル１の共通サーチスペースのＥＤＣＣＨ集合はＥＰＤＣＣＨ集合１である。一方、セル１に対して、共通サーチスペースを扱うために使用されないＥＰＤＣＣＨ集合０とＥＰＤＣＣＨ集合２は、ＰＤＳＣＨやＵＥ固有サーチスペースを扱うために使用されることができる。
上記で定義されたパラメータで、候補ＥＰＤＣＣＨ集合内の候補ＥＰＤＣＣＨにより占有されるＥＣＣＥの位置は予め定義される。
【００３１】
【数６】
0006313321.tif 000008
【００３２】
ｋは、サブフレームのインデックスである。
ｍは、候補ＥＰＤＣＣＨのインデックスであり、ｍは、ＥＰＤＣＣＨ集合内のインデックスであり、
【００３３】
【数７】
0006313321.tif 000009
【００３４】
はアグリゲーションレベルがＬであると共に、ＥＰＤＣＣＨ集合内で共通サーチスペースに対して使用される候補ＥＰＤＣＣＨの個数である。
【００３５】
ｎはサブフレームｋ内のＥＰＤＣＣＨ集合のインデックスである。
ＮCCE_n，kはサブフレームｋ内のＥＰＤＣＣＨ集合内のＥＣＣＥの総数である。
Ｙkは０に該当する。
【００３６】
共通サーチスペースで候補ＥＰＤＣＣＨの位置を判定する第２の方法において、候補ＥＰＤＣＣＨ集合の個数、候補ＥＰＤＣＣＨ集合のタイプ、及びその候補ＥＰＤＣＣＨ集合により占有されたＰＲＢペアの個数が予め定義される。例えば、ＵＥは共通サーチスペースの一つの候補ＥＰＤＣＣＨ集合だけを追跡し、候補ＥＰＤＣＣＨ集合のタイプは分散型であり、共通サーチスペースのＥＰＤＣＣＨ集合により占有されたＰＲＢペアは４個である。
【００３７】
上記で定義されたパラメータで、候補ＥＰＤＣＣＨ集合により占有されたＰＲＢペアの組み合わせの位置は、メイン情報ブロック（ＭＩＢ）における表示を通して決定される。例えば、３個のＥＰＤＣＣＨ集合が予め定義され、これらは共通サーチスペースを扱うために使用されることができる。しかし、それぞれのセルの共通サーチスペースは、共通サーチスペースを扱うために予め定義される３個のＥＰＤＣＣＨ集合のうち一つだけである。ＭＩＢ内の予備ビットのうち２ビットの情報が、その３個のうち一つを示すための共通サーチスペース内のＥＰＤＣＣＨ集合の指示情報として使用される。例えば:
共通サーチスペース内のＥＰＤＣＣＨ集合の指示情報ビットが“００”であれば、セル１の共通サーチスペースのＥＰＤＣＣＨ集合はＥＰＤＣＣＨ０である;
共通サーチスペース内のＥＰＤＣＣＨ集合の指示情報ビットが“０１”であれば、セル１の共通サーチスペースのＥＰＤＣＣＨ集合はＥＰＤＣＣＨ１である;
共通サーチスペース内のＥＰＤＣＣＨ集合の指示情報ビットが“１０”であれば、セル１の共通サーチスペースのＥＰＤＣＣＨ集合はＥＰＤＣＣＨ２である;
予備状態は、“１１”である共通サーチスペース内のＥＰＤＣＣＨ集合の指示情報ビットにより表示される。
【００３８】
セル１に対して、共通サーチスペースのＥＰＤＣＣＨ集合がＥＰＤＣＣＨ１であれば、共通サーチスペースを扱うために使用されないＥＰＤＣＣＨ集合０と２はＰＤＳＣＨやＵＥ固有サーチスペースを扱うために使用されることができる。
【００３９】
上記で定義されたパラメータで、候補ＥＰＤＣＣＨ集合内の候補ＥＰＤＣＣＨにより占有されるＥＣＣＥの位置は予め定義される。例えばＥＰＤＣＣＨサーチスペースにより占有される
【００４０】
【数８】
0006313321.tif 000010
【００４１】
は、
【００４２】
【数９】
0006313321.tif 000011
【００４３】
であり、
ここでＬはアグリゲーションレベル（aggregative level）、すなわちサーチスペースにより占有されたＥＣＣＥの個数である；
ｋは、サブフレームのインデックスである；
ｍは、候補ＥＰＤＣＣＨのインデックスであり、ｍはＥＰＤＣＣＨ集合内のインデックスであり、
【００４４】
【数１０】
0006313321.tif 000012
【００４５】
はアグリゲーションレベルがＬであると共に、ＥＰＤＣＣＨ集合内で共通サーチスペースに対して使用される候補ＥＰＤＣＣＨの個数である；
ｎはサブフレームｋ内のＥＰＤＣＣＨ集合のインデックスである；
ＮCCE_n,kはサブフレームｋ内のＥＰＤＣＣＨ集合内のＥＣＣＥの総数である；
Ｙkは０に該当する。
【００４６】
共通サーチスペースで候補ＥＰＤＣＣＨの位置を判定する第３の方法において、候補ＥＰＤＣＣＨ集合の個数、候補ＥＰＤＣＣＨ集合のタイプ、及びその候補ＥＰＤＣＣＨ集合により占有されたＰＲＢペアの個数が予め定義される。例えば、ＵＥは共通サーチスペースの一つの候補ＥＰＤＣＣＨ集合だけを追跡し、候補ＥＰＤＣＣＨ集合のタイプは分散型であり、共通サーチスペースのＥＰＤＣＣＨ集合により占有されたＰＲＢペアは４個である。
【００４７】
上記で定義されたパラメータで、候補ＥＰＤＣＣＨ集合により占有されるＰＲＢペアの組み合わせの位置は予め定義される。例えば図４に図示されるように、共通サーチスペースのＥＰＤＣＣＨ集合は４個のＰＲＢペアを占有する、すなわち、それぞれのセルの共通サーチスペースのＥＰＤＣＣＨ集合は４個のＰＲＢペアを占有する。したがって、ＵＥが共通サーチスペースのＥＰＤＣＣＨを追跡することにおける複雑度を減らす。
【００４８】
上記で定義されたパラメータで、候補ＥＰＤＣＣＨ集合内の候補ＥＰＤＣＣＨにより占有されるＥＣＣＥの位置は予め定義される。例えばＥＰＤＣＣＨサーチスペースにより占有される
【００４９】
【数１１】
0006313321.tif 000013
【００５０】
は、
【００５１】
【数１２】
0006313321.tif 000014
【００５２】
であり、
ここでＬはアグリゲーションレベル、すなわちサーチスペースにより占有されたＥＣＣＥの個数である；
ｋはサブフレームのインデックスである；
ｍは候補ＥＰＤＣＣＨのインデックスであり、ｍはＥＰＤＣＣＨ集合内のインデックスであり、
【００５３】
【数１３】
0006313321.tif 000015
【００５４】
はアグリゲーションレベルがＬであると共に、ＥＰＤＣＣＨ集合内で共通サーチスペースに対して使用される候補ＥＰＤＣＣＨの個数である；
ｎはサブフレームｋ内のＥＰＤＣＣＨ集合のインデックスである；
ＮCCE_n，kはサブフレームｋ内のＥＰＤＣＣＨ集合内のＥＣＣＥの総数である。
Ｙｋは０に該当する。
【００５５】
上述した通り、ＵＥは、共通サーチスペースの候補ＥＰＤＣＣＨの位置を決定する。ＵＥがそれぞれのアグリゲーションレベルに対するブラインド検出の回数と共通サーチスペースでブラインド検出されるべきＥＰＤＣＣＨに対応するアグリゲーションレベルを決定する方法が必要になる。
【００５６】
それぞれのアグリゲーションレベルに対してブラインド検出の回数と共通サーチスペースでブラインド検出されるべきＥＰＤＣＣＨのアグリゲーションレベルを決定する第１の方法において、共通サーチスペース内のＥＰＤＣＣＨのそれぞれのアグリゲーションレベルに対するブラインド検出回数は、現在のＬＴＥシステムと符合する。例えば、ブラインド検出の回数の総数（すなわち、ブラインド検出の最大回数）は変わらない。すなわち共通サーチスペースに対するブラインド検出の回数の総数は１２であり、ここで４個のＥＣＣＥを有するＥＰＤＣＣＨが４個の候補位置でブラインド検出され、８個のＥＣＣＥを有するＥＰＤＣＣＨが２個の候補位置でブラインド検出される。また、それぞれの伝送モードで、相異なるサイズを有する２種類のＥＰＤＣＣＨがブラインド検出される。したがって、ＵＥの共通サーチスペースにおけるブラインド検出回数は、＜表２＞に図示されるように（２+４）*２=１２になる。
【００５７】
【表２】
0006313321.tif 000016
【００５８】
それぞれのアグリゲーションレベルに対するブラインド検出の回数と共通サーチスペースでブラインド検出されるべきＥＰＤＣＣＨに対応するアグリゲーションレベルを決定する第２の方法を以下で詳細に記述する。
【００５９】
現在のＬＴＥシステムで、ＣＳＳのアグリゲーションレベルを設定する原理は、適用範囲（coverage）を維持することである。したがって、２個の最大アグリゲーションレベルが採択される。それによって、８より大きい（たとえば、１６や３２である）アグリゲーションレベルがＥＰＤＣＣＨで発生できるので、上記方法は現在のＬＴＥシステムの原理によってＣＳＳ内の２個の最大アグリゲーションレベルに対するブラインド検出を定義するか、または、１以上のＮ個の最大アグリゲーションレベルに対するブラインド検出を定義する一方、非常に少ないアグリゲーションレベルを有するＥＰＤＣＣＨは検出されない。
【００６０】
あるいは、共通サーチスペースに対してブラインド検出されるアグリゲーションレベルが設定されることができる。上記方法は、たとえば、一つのＥＣＣＥからなるアグリゲーションレベル、２個のＥＣＣＥからなるアグリゲーションレベル、４個のＥＣＣＥからなるアグリゲーションレベル、８個のＥＣＣＥからなるアグリゲーションレベル、１６個のＥＣＣＥからなるアグリゲーションレベルを含む全てのアグリゲーションレベルを許可することを含む。ＣＳＳで、許可されたアグリゲーションレベルが決定された後、それぞれのアグリゲーションレベルに対するブラインド検出回数も決定される必要がある。その回数は、半静的設定における上位階層シグナリングを利用するか、または、仕様に予め定義されることができる。２種類の実施形態が以下で詳細に記述される。
【００６１】
第１の実施形態で、共通サーチスペースに対するブラインド検出の回数の総数は変わらない。すなわち、共通サーチスペースに対するブラインド検出の回数の総数は１２である。共通サーチスペースでブラインド検出されるアグリゲーションレベルは、４個のＥＣＣＥからなるＥＰＤＣＣＨのアグリゲーションレベル及び８個のＥＣＣＥからなるＥＰＤＣＣＨのアグリゲーションレベルに限定されない。例えば、図３に図示されるように、アグリゲーションレベルｄｌ一つのＥＣＣＥを含むＥＰＤＣＣＨは一つの候補検出位置を有し、２個のＥＣＣＥを含むアグリゲーションレベルを有するＥＰＤＣＣＨは一つの候補検出位置を有し、４個のＥＣＣＥを含むアグリゲーションレベルを有するＥＰＤＣＣＨは２個の候補検出位置を有し、８個のＥＣＣＥを含むアグリゲーションレベルを有するＥＰＤＣＣＨは一つの候補検出位置を有し、１６個のＥＣＣＥを含むアグリゲーションレベルを有するＥＰＤＣＣＨは一つの候補検出位置を有する:
【００６２】
【表３】
0006313321.tif 000017
【００６３】
第２の実施形態で、共通サーチスペースに対するブラインド検出の回数の総数が加算される。例えば、４個のＥＣＣＥを含むアグリゲーションレベルを有するＥＰＤＣＣＨ及び８個のＥＣＣＥを含むアグリゲーションレベルを有するＥＰＤＣＨの共通スペースに対するブラインド検出の回数は変わらないが、他のアグリゲーションレベルを有するＥＰＤＣＣＨに対するブラインド検出回数は加算される。例えば、４個のＥＣＣＥを含むアグリゲーションレベルを有するＥＰＤＣＣＨは４個の候補検出位置を有し、８個のＥＣＣＥを含むアグリゲーションレベルを有するＥＰＤＣＣＨは２個の候補検出位置を有し、１個のＥＣＣＥを含むアグリゲーションレベルを有するＥＰＤＣＣＨ及び２個のＥＣＣＥを含むアグリゲーションレベルを有するＥＰＤＣＣＨの各々に一回のブラインド検出が加算される。したがって、共通サーチスペースに対するブラインド検出の回数の総数は＜表４＞に図示されるように最大２＊（１＋１＋４＋２）＝１６になる。
【００６４】
【表４】
0006313321.tif 000018
【００６５】
ステップ３０２で、ＵＥは、ステップ３０１で決定された共通サーチスペースにより占有される候補ＥＰＤＣＣＨの位置による共通サーチスペースにより占有された候補ＥＰＤＣＣＨに対するブラインド検出を実行する。共通サーチスペースにより占有された候補ＥＰＤＣＣＨのそれぞれのアグリゲーションレベルに対して実行されるブラインド検出の回数はステップ３０１で決定される。
ステップ３０３で、ＵＥは、ＵＥ固有サーチスペースにより占有された候補ＥＰＤＣＣＨの位置を決定する。
【００６６】
ＮＣＴセルが二次セルである場合、二次セルの上位階層信号を通して、一次セルによりリソースが設定されることができる。リソースは、ＥＰＤＣＣＨで構成されたＵＥ固有サーチスペースにより占有される。設定されるために必要なパラメータは、ＵＥ固有サーチスペースのＥＰＤＣＣＨにより使用される候補ＥＰＤＣＣＨ集合の個数、それぞれの候補ＥＰＤＣＣＨ集合のタイプ、候補ＥＰＤＣＣＨ集合により占有されたＰＲＢペアの個数、及びＰＲＢペアの位置などの情報を含む。したがって、二次セルであるＮＣＴセルのＵＥ固有ＥＰＤＣＣＨサーチスペースが正常に作動できる。
【００６７】
自立型ＮＣＴセルにおけるリソースの位置は、他のセルの上位階層信号を通して設定されない。リソースは、ＥＰＤＣＣＨにより構成されたＵＥ固有サーチスペースにより占有される。したがって、ＵＥ固有リソース位置により占有されるリソースの位置を決定するための方法が必要である。
ＵＥ固有サーチスペースにより占有されるリソースの位置を決定するための方法が以下で詳細に記述される。
【００６８】
ＵＥ固有サーチスペースにより占有される候補ＥＰＤＣＣＨの位置は、次のようなコンテンツを含む:
候補ＥＰＤＣＣＨ集合の個数、それぞれの候補ＥＰＤＣＣＨのタイプ（集中型であるか分散型であるか）、それぞれの候補ＥＰＤＣＣＨ集合により占有されるＰＲＢペアの個数及びＰＲＢペアの位置、ＥＰＤＣＣＨ集合を構成するために占有されるＥＣＣＥの位置。
ＵＥ固有サーチスペースは、ＵＥ特性により決定されるか、または上位階層シグナリングにより設定されるリソースを占有する。
ＵＥ固有サーチスペースにより占有されるリソースの位置を決定するための第１の方法は上位階層信号により設定される。
【００６９】
上位階層を通して設定する方法は、候補ＥＰＤＣＣＨ集合の個数、それぞれの候補ＥＰＤＣＣＨのタイプ（集中型であるか分散型であるか）、候補ＥＰＤＣＣＨ集合により占有されるＰＲＢペアの個数、及びＰＲＢペアの位置を含めて、候補ＥＰＤＣＣＨの位置を設定するステップを含む。上位階層信号はランダムアクセス応答（ＲＡＲ）の信号、たとえばランダムアクセスチャネル（ＲＡＣＨ）msg４であり得る。ＲＡＲ内の予備ビットが候補ＥＰＤＣＣＨ集合の個数、それぞれの候補ＥＰＤＣＣＨのタイプ（集中型であるか分散型であるか）、候補ＥＰＤＣＣＨ集合により占有されるＰＲＢペアの個数、及びＰＲＢペアの位置を示すために使用される。
【００７０】
上記パラメータで候補ＥＰＤＣＣＨ集合内の候補ＥＰＤＣＣＨにより占有されるＥＣＣＥの位置に対して、候補ＥＰＤＣＣＨ集合内のＥＣＣＥの位置は仕様に予め定義される。例えばＥＰＤＣＣＨサーチスペースにより占有される
【００７１】
【数１４】
0006313321.tif 000019
【００７２】
は、
【００７３】
【数１５】
0006313321.tif 000020
【００７４】
であり、
ここでＬはアグリゲーションレベル、すなわちサーチスペースにより占有されたＥＣＣＥの個数である；
ｋはサブフレームのインデックスである；
ｍは候補ＥＰＤＣＣＨのインデックスであり、ｍはＥＰＤＣＣＨ集合内のインデックスであり、
【００７５】
【数１６】
0006313321.tif 000021
【００７６】
はアグリゲーションレベルがＬであると共に、ＥＰＤＣＣＨ集合内で共通サーチスペースに対して使用される候補ＥＰＤＣＣＨの個数である；
ｎはサブフレームｋ内のＥＰＤＣＣＨ集合のインデックスである；
NCCE_n，kはサブフレームｋ内のＥＰＤＣＣＨ集合内のＥＣＣＥの総数である；
【００７７】
【数１７】
0006313321.tif 000022
【００７８】
であり、ここで
【００７９】
【数１８】
0006313321.tif 000023
【００８０】
上位階層シグナリング設定のための他の方法は、候補ＥＰＤＣＣＨ集合の個数、それぞれの候補ＥＰＤＣＣＨのタイプ（集中型であるか分散型であるか）、それぞれの候補ＥＰＤＣＣＨ集合により占有されるＰＲＢペアの個数、及びＰＲＢペアの位置を含めて、上位階層信号を通した候補ＥＰＤＣＣＨの位置を設定するステップを含む。上位階層シグナリングは、共通サーチスペースのＥＰＤＣＣＨをスケジューリングするための信号であり得る。
【００８１】
上記パラメータで候補ＥＰＤＣＣＨ集合内の候補ＥＰＤＣＣＨにより占有されるＥＣＣＥの位置に対して、候補ＥＰＤＣＣＨ集合内のＥＣＣＥの位置は予め定義される。例えばＥＰＤＣＣＨサーチスペースにより占有される
【００８２】
【数１９】
0006313321.tif 000024
【００８３】
は、
【００８４】
【数２０】
0006313321.tif 000025
【００８５】
であり、
ここでＬは、アグリゲーションレベル、すなわちサーチスペースにより占有されたＥＣＣＥの個数である；
ｋはサブフレームのインデックスである；
ｍは候補ＥＰＤＣＣＨのインデックスで、ｍはＥＰＤＣＣＨ集合内のインデックスである；
ｎはサブフレームｋ内のＥＰＤＣＣＨ集合のインデックスである；
ＮCCE_n，kはサブフレームｋ内のＥＰＤＣＣＨ集合内のＥＣＣＥの総数である；
【００８６】
【数２１】
0006313321.tif 000026
【００８７】
上位階層シグナリングを通して設定する二つの方法において、ＵＥは現在の関連仕様によって、それぞれのアグリゲーションレベルに対するブラインド検出回数及びＵＥ固有サーチスペースでブラインド検出されるべきＥＰＤＣＣＨに対応するそれぞれのアグリゲーションレベルを決定できる、例えば、これらは、現在の仕様バージョン１１に基づいて決定される。
【００８８】
上位階層シグナリングを通した設定の他の方法において、ＵＥ固有サーチスペースを扱うために使用されるＥＰＤＣＣＨ集合は、図５に図示されるように、二つの部分に分けられる。共通サーチスペースのＥＰＤＣＣＨ集合のように、ＵＥ固有サーチスペースのＥＰＤＣＣＨ集合に使用される第１の部分は固定される。ＵＥ固有サーチスペースのＥＰＤＣＣＨ集合の第２の部分は、ＵＥの要件によって追加で設定され、それは共通サーチスペースのＥＰＤＣＣＨで設定されるか、または第１の部分内のＵＥ固有サーチスペースのＥＰＤＣＣＨでも設定されることができる。設定は、候補ＥＰＤＣＣＨ集合などにより占有されるＰＲＢペアの位置に対する設定を含むことができる。この方法を採択することによって、ＵＥ固有サーチスペースに対して設定されたＥＰＤＣＣＨ集合の時間及び周波数リソースを決定した後、ＵＥは、ＵＥ固有サーチスペースの時間及び周波数リソースの位置の一部を同時に獲得する。一部ＲＲＣ信号及びダウンリンクデータをＵＥに伝達する必要がある場合、システムはスケジューリングのためにＥＰＤＣＣＨ内のＵＥ固有サーチスペースに属する候補ＥＰＤＣＣＨを使用することができる。基地局はＵＥダウンリンクの状態によって適切なアグリゲーションレベルを検索できる。具体的に、ＵＥリンクの状態が良い場合は、ＲＲＣ信号及びダウンリンクデータを伝送するために共通サーチスペースの候補ＥＰＤＣＣＨに属する高いアグリゲーションレベルを使用することを避けることによって、リソース可用性を向上させるように、低いアグリゲーションレベルが検索できる。
【００８９】
ＵＥ固有サーチスペースの第１の部分において、ＵＥ固有サーチスペースの候補ＥＰＤＣＣＨ集合の位置を決定するための二つの方法が次のように記述される。しかし、本発明の実施形態がその二つの方法に限定されるものではない。
【００９０】
第１の方法において、ＥＰＤＣＣＨ集合内のＥＣＣＥが次のようなインデックスによって序列化される:ＥＣＣ０，ＥＣＣ１，…，ＥＣＣＥn-１．候補ＥＰＤＣＣＨ集合内のＵＥ固有サーチスペースにより占有されるＥＣＣＥの位置は予め定義される。例えばＥＰＤＣＣＨサーチスペースにより占有される
【００９１】
【数２２】
0006313321.tif 000027
【００９２】
は、
【００９３】
【数２３】
0006313321.tif 000028
【００９４】
であり、
ここでＬはアグリゲーションレベル、すなわちサーチスペースにより占有されたＥＣＣＥの個数である；
ｋはサブフレームのインデックスである；
ｍは候補ＥＰＤＣＣＨのインデックスである；
ｎはサブフレームｋ内のＥＰＤＣＣＨ集合のインデックスである；
ＮCCE_n，kはサブフレームｋ内のＥＰＤＣＣＨ集合内のＥＣＣＥの総数である。
【００９５】
【数２４】
0006313321.tif 000029
【００９６】
第２の方法において、ＥＰＤＣＣＨ集合内のＥＣＣＥが次のようなインデックスによって序列化される:ＥＣＣ０，ＥＣＣ１，…，ＥＣＣＥｎ−１．候補ＥＰＤＣＣＨ集合内のＵＥ固有サーチスペースにより占有されるＥＣＣＥの位置は予め定義される。例えばＥＰＤＣＣＨサーチスペースにより占有される
【００９７】
【数２５】
0006313321.tif 000030
【００９８】
は、
【００９９】
【数２６】
0006313321.tif 000031
【０１００】
であり、
ここでＬはアグリゲーションレベル、すなわちサーチスペースにより占有されたＥＣＣＥの個数である；
ｋはサブフレームのインデックスである；
ｍは候補ＥＰＤＣＣＨのインデックスである；
ｎはサブフレームｋ内のＥＰＤＣＣＨ集合のインデックスである；
ＮCCE_n，kはサブフレームｋ内のＥＰＤＣＣＨ集合内のＥＣＣＥの総数である；
Ｙkは０に該当する。
【０１０１】
ＵＳＳ内の候補ＥＰＤＣＣＨの数に対して、ＵＳＳの第２の部分が設定される前に、多くの候補ＥＰＤＣＣＨが共通サーチスペースと共有されるＥＰＤＣＣＨの内に割り当てられる。ＵＥがＵＳＳの第２の部分を検出するように設定される場合、候補チャネルの個数がＵＳＳの二つの部分内で割り当てられる。例えば、ＵＳＳの第１の部分に割り当てられた候補ＥＰＤＣＣＨは減少し、ＵＳＳの二つの部分に対するブラインド検出回数は変わらない。あるいは、ＣＳＳと共有されるＥＰＤＣＣＨ集合でブラインド検出されるべきＵＳＳの候補ＥＰＤＣＣＨの個数は固定され、ＵＳＳの第２の部分が設定されるか否かにかかわらない。したがって、ＵＳＳの第２の部分が設定される場合、ＵＥのＵＳＳ内で検出されるべき候補ＥＰＤＣＣＨが追加される。
【０１０２】
ＥＰＤＣＣＨ集合の二つの部分を設定する状況で、ＵＥ固有サーチスペースに対するブラインド検出の回数を決定するための二つの実施形態が以下で詳細に記述される。
【０１０３】
ＵＥ固有サーチスペースに対するブラインド検出の回数を決定するための第１の方法において、それぞれのセル内のＵＥ固有サーチスペースの第１の部分及びＵＥ固有サーチスペースの第２の部分に対するブラインド検出の回数の総数は、現在のＬＴＥで特定されたブラインド検出の回数の総数と同一である。具体的に、伝送モードアップリンクＭＩＭＯが設定されない場合、ＵＥ固有サーチスペースの二つの部分に対するブラインド検出の回数の総数は３２である。すなわち、ＵＥ固有サーチスペースの第１の部分に対するブラインド検出の回数とＵＥ固有サーチスペースの第２の部分に対する回数の総数が３２である。伝送モードアップリンクＭＩＭＯが設定されれば、ＵＥ固有サーチスペースの二つの部分に対するブラインド検出の回数の総数は４８である。すなわちＵＥ固有サーチスペースの第１の部分に対するブラインド検出の回数とＵＥ固有サーチスペースの第２の部分に対する回数の総数が４８である。
【０１０４】
ＵＥ固有サーチスペースに対するブラインド検出の回数を決定するための第２の方法において、それぞれのセル内のＵＥ固有サーチスペースの第２の部分に対するブラインド検出の回数は、現在のＬＴＥで特定されたそれぞれのセル内のブラインド検出の回数と同一である。具体的に、伝送モードアップリンクＭＩＭＯが設定されない場合、それぞれのセル内のＵＥ固有サーチスペースの第２の部分に対するブラインド検出の回数は３２である。伝送モードアップリンクＭＩＭＯが設定されれば、それぞれのセル内のＵＥ固有サーチスペースの第２の部分に対するブラインド検出の回数の総数は４８である。また、それぞれのセル内の第１の部分に対するブラインド検出の回数が加算される。それぞれのセル内の第１の部分に対するブラインド検出の回数はＭであり、例えばＭは６に該当する。
【０１０５】
また、図３を参照すれば、ステップ３０４で、ＵＥはステップ３０３で決定されたＵＥ固有サーチスペースにより占有される候補ＥＰＤＣＣＨの位置によるＵＥ固有サーチスペースにより占有された候補ＥＰＤＣＣＨに対するブラインド検出を実行する。ＵＥ固有サーチスペースの候補ＥＰＤＣＣＨのそれぞれのアグリゲーションレベルに対して実行されるブラインド検出の回数はステップ３０３で決定される。
【０１０６】
図６は、本発明の様態によって、上述した方法を実行するための装置を例示した図である。上記装置は情報獲得モジュール６１０及びブラインド検出モジュール６２０を含む。
【０１０７】
情報獲得モジュール６１０は、共通サーチスペースにより占有される候補ＥＰＤＣＣＨの位置を決定し、ＵＥ固有サーチスペースにより占有される候補ＥＰＤＣＣＨの位置を決定する。
【０１０８】
ブラインド検出モジュール６２０は、共通サーチスペースにより占有される候補ＥＰＤＣＣＨに対するブラインド検出を実行し、ＵＥ固有サーチスペースにより占有される候補ＥＰＤＣＣＨに対するブラインド検出を実行する。
【０１０９】
上述した本発明の実施形態によって、本発明で提供される技術的解決法を採択することによって、ＵＥは共通サーチスペースにより占有される候補ＥＰＤＣＣＨの位置及びＵＥ固有サーチスペースにより占有される候補ＥＰＤＣＣＣＨの位置を判定でき、ＮＣＴは自立型で動作できるため、二次セルとしてだけではなく自立型セルとしても動作できるＮＣＴ適用の融通性を向上させることができる。
【０１１０】
本発明は所定実施形態を参照して記述したが、当業者であれば、添付された請求範囲で規定されるような本発明の概念及び範囲から逸脱しない形式及び細部内容内で多様な変更が可能であることが分かるはずである。
【符号の説明】
【０１１１】
６１０  情報獲得モジュール
６２０  ブラインド検出モジュール
【図１】
0006313321.tif 000040
【図２】
0006313321.tif 000041
【図３】
0006313321.tif 000042
【図４】
0006313321.tif 000043
【図５】
0006313321.tif 000044
【図６】
0006313321.tif 000045